(57)【要約】【課題】加工時間を短縮し、且つ高い加工精度で目的物を得ることを可能とする加工方法を提供する。【解決手段】レーザーを用いて素材を加工する加工方法であって、前記レーザーを照射することにより、素材内部に目的物を形成する第１の加工工程と、前記目的物が形成された位置よりも外側に前記レーザーを照射することにより、前記素材内部に割断部位を形成する第２の加工工程と、を含む加工方法。【選択図】図３Ｅ
2018069307.tif 000002
【特許請求の範囲】
【請求項１】
レーザーを用いて素材を加工する加工方法であって、
前記レーザーを照射することにより、素材内部に目的物を形成する第１の加工工程と、
前記目的物が形成された位置よりも外側に前記レーザーを照射することにより、前記素材内部に割断部位を形成する第２の加工工程と、
を含む加工方法。
【請求項２】
加工データは、前記目的物の表面形状を示す点群データ、及び前記割断部位を示す割断データを含み、
前記第１の加工工程は、前記点群データに対応する位置に前記レーザーを照射し、
前記第２の加工工程は、前記割断データに対応する位置に前記レーザーを照射することを特徴とする請求項１記載の加工方法。
【請求項３】
前記第１の加工工程におけるレーザーは、前記点群データに含まれる各点の法線方向から照射されることを特徴とする請求項２記載の加工方法。
【請求項４】
前記第１の加工工程または前記第２の加工工程の少なくとも一方におけるレーザーは、前記素材の表面の法線方向から照射されることを特徴とする請求項１または２記載の加工方法。
【請求項５】
前記第１の加工工程において照射されるレーザーのスポット径は、前記第２の加工工程において照射されるレーザーのスポット径よりも小さいことを特徴とする請求項１〜４のいずれか一つに記載の加工方法。
【請求項６】
前記第１の加工工程において照射されるレーザーの単位面積当たりのスポットの数は、前記第２工程において照射されるレーザーの単位面積当たりのスポット数よりも多いことを特徴とする請求項１〜５のいずれか一つに記載の加工方法。
【請求項７】
前記第１の加工工程で使用されるレーザーは超短パルスレーザーであることを特徴とする請求項１〜６のいずれか一つに記載の加工方法。
【請求項８】
前記素材は、ジルコニア系の光透過性材料の完全焼結体であることを特徴とする請求項１〜７のいずれか一つに記載の加工方法。
【請求項９】
前記加工方法は、更に、
前記第１の加工工程及び前記第２の加工工程がなされた前記素材を前記割断部位で割断させることにより、前記素材内部から前記目的物を分離する第３の加工工程を有することを特徴とする請求項１〜８のいずれか一つに記載の加工方法。
【請求項１０】
前記加工方法は、更に、
分離した前記目的物を前記レーザーにより研磨する第４の加工工程を有することを特徴とする請求項９記載の加工方法。
【請求項１１】
前記第４の加工工程において照射されるレーザーのスポット径は、前記第１の加工工程において照射されるレーザーのスポット径よりも小さいことを特徴とする請求項１０記載の加工方法。
【請求項１２】
レーザーを用いて素材を加工する加工システムであって、
前記レーザーを照射する照射部と、
前記素材を保持する保持部と、
前記照射部及び前記保持部を相対的に移動させる駆動機構と、
前記レーザーを照射して素材内部に目的物を形成し、且つ前記目的物が形成された位置よりも外側に前記レーザーを照射して前記素材内部に割断部位を形成するよう前記照射部及び前記駆動機構を制御する制御部と、
を含む加工システム。
【請求項１３】
レーザーを用いて素材を加工する加工システムで実行されるプログラムであって、
前記加工システムに対し、
前記レーザーを照射させて素材内部に目的物を形成させ、且つ前記目的物が形成された位置よりも外側に前記レーザーを照射させて前記素材内部に割断部位を形成させる加工プログラム。
【発明の詳細な説明】
【技術分野】
【０００１】
本発明は加工方法、加工システム、及び加工プログラムに関する。
【背景技術】
【０００２】
金属やプラスチック等の素材を切削加工して目的物を得るための加工装置が知られている。加工装置は、複数の駆動軸を有する。たとえば、５軸の加工装置は、左右（Ｘ軸）、前後（Ｙ軸）、上下（Ｚ軸）の移動、及びＸ軸回り（Ａ回転軸）、Ｙ軸回り（Ｂ回転軸）の回転を制御することにより、複雑な形状の目的物を加工することができる。
【０００３】
加工装置により加工される目的物としては、歯科医療に用いる補綴物がある。このような補綴物の素材としては、ジルコニアやジルコニア配合セラミックのような、セラミック系脆性材料が用いられる。セラミック系脆性材料の完全焼結体は、金属やプラスチックと比較して、硬度、耐摩耗性、耐熱性、耐食性等に優れている。
【０００４】
一方、セラミック系脆性材料の完全焼結体は、非常に硬いため、切削加工する際の加工効率が悪くなる。従って、切削加工は半焼結体のブロックやディスクに対して行われることが一般的である。たとえば、加工データに基づいて半焼結体を切削加工した後、焼成を行うことにより、完全焼結体とする。そして、完全焼結体に対して研磨等の仕上げ処理を行うことで補綴物を得ることができる（非特許文献１参照）。
【０００５】
なお、セラミック系脆性材料の完全焼結体を研削加工することも技術的には可能である（非特許文献２参照）。
【先行技術文献】
【非特許文献】
【０００６】
【非特許文献１】“ジルコニアの基礎知識と製品レポート”、［ｏｎｌｉｎｅ］、山本貴金属地金株式会社、［平成２８年１０月３日検索］、インターネット＜ＵＲＬ：http://www.yamakin-gold.co.jp/technical#support/webrequest/pdf/zirconia.pdf＞
【非特許文献２】“Ｃ−ｐｒｏ  ナノジルコニア  Ｆタイプ”、［ｏｎｌｉｎｅ］、独立行政法人  医薬品医療機器総合機構、［平成２８年１０月３日検索］、インターネット＜ＵＲＬ：http://www.info.pmda.go.jp/downfiles/md/PDF/730056/730056#221AABZX00156000#A#01#05.pdf＞
【発明の概要】
【発明が解決しようとする課題】
【０００７】
しかし、従来の加工方法は補綴物の完成までに長時間を要するという問題がある。
【０００８】
たとえば、非特許文献１の加工方法を使用する場合、切削加工後の半焼結体を焼成するためには、約７〜１５時間程度の時間を要する。また、非特許文献１の加工方法は、目的とする補綴物の形状によっては複数の切削ツールを付け替えて加工する必要があるため、加工時間が長くなる場合もありうる。
【０００９】
非特許文献２の加工方法を使用する場合、上述の通り完全焼結体は高硬度であることから補綴物の完成までに長時間を要する。
【００１０】
また、従来の加工方法は加工精度の確保が困難であるという問題がある。
【００１１】
たとえば、非特許文献１の加工方法を使用する場合、焼成に伴って素材の収縮や反りが生じるため、収縮や反りの程度を加味した加工データを作成することが一般的である。しかし、補綴物の形状や素材の種類、加工時の温度条件等によって収縮や反りの位置や程度が異なるため、収縮や反りを完全に予測した加工データを作成することは困難である。すなわち、補綴物の加工精度を十分に担保することが困難である。また、非特許文献１の加工方法では、切削加工の工程と焼成の工程とを別々の装置で行うため、装置に対する素材の位置合わせが複数回必要となる結果、加工精度が低下する可能性がある。
【００１２】
更に、非特許文献１及び非特許文献２のいずれの加工方法であっても、切削用や研削用のツールを素材に直接接触させて加工する必要がある。従って、接触により素材やツールに力が加わることで加工精度が低下する可能性もありうる。
【００１３】
本発明の目的は、加工時間を短縮し、且つ高い加工精度で目的物を得ることを可能とする加工方法、当該加工方法を実施するための加工システム、及び当該加工システムで実行される加工プログラムを提供することにある。
【課題を解決するための手段】
【００１４】
上記目的を達成するための一の発明は、レーザーを用いて素材を加工する加工方法であって、前記レーザーを照射することにより、素材内部に目的物を形成する第１の加工工程と、前記目的物が形成された位置よりも外側に前記レーザーを照射することにより、前記素材内部に割断部位を形成する第２の加工工程と、を含む加工方法である。
また、上記目的を達成するための別の発明は、レーザーを用いて素材を加工する加工システムであって、前記レーザーを照射する照射部と、前記素材を保持する保持部と、前記照射部及び前記保持部を相対的に移動させる駆動機構と、前記レーザーを照射して素材内部に目的物を形成し、且つ前記目的物が形成された位置よりも外側に前記レーザーを照射して前記素材内部に割断部位を形成するよう前記照射部及び前記駆動機構を制御する制御部と、を含む加工システムである。
また、上記目的を達成するための別の発明は、レーザーを用いて素材を加工する加工システムで実行されるプログラムであって、前記加工システムに対し、前記レーザーを照射させて素材内部に目的物を形成させ、且つ前記目的物が形成された位置よりも外側に前記レーザーを照射させて前記素材内部に割断部位を形成させる加工プログラムである。
本発明の他の特徴については、本明細書の記載により明らかにする。
【発明の効果】
【００１５】
本発明によれば、加工時間を短縮し、且つ高い加工精度で目的物を得ることを可能とする。
【図面の簡単な説明】
【００１６】
【図１】実施形態に係る加工システムの構成を示す模式図である。
【図２】実施形態に係る加工システムの動作を示すフローチャートである。
【図３Ａ】実施形態に係る素材を模式的に示した図である。
【図３Ｂ】実施形態に係る素材及び目的物を模式的に示した図である。
【図３Ｃ】実施形態に係る素材及び目的物を模式的に示した図である。
【図３Ｄ】実施形態に係る素材及び目的物を模式的に示した図である。
【図３Ｅ】実施形態に係る素材及び目的物を模式的に示した図である。
【図３Ｆ】実施形態に係る素材及び目的物を模式的に示した図である。
【図３Ｇ】実施形態に係る目的物を模式的に示した図である。
【図３Ｈ】実施形態に係る目的物を模式的に示した図である。
【発明を実施するための形態】
【００１７】
後述する明細書及び図面の記載から、上記の主たる発明の他、少なくとも以下の事項が明らかとなる。
【００１８】
すなわち、加工データは、前記目的物の表面形状を示す点群データ、及び前記割断部位を示す割断データを含み、前記第１の加工工程は、前記点群データに対応する位置に前記レーザーを照射し、前記第２の加工工程は、前記割断データに対応する位置に前記レーザーを照射する加工方法が明らかとなる。このような加工データに基づいてレーザー加工を行うことにより、加工時間を短縮し、且つ高い加工精度で目的物を得ることを可能とする。
【００１９】
また、前記第１の加工工程におけるレーザーが、前記点群データに含まれる各点の法線方向から照射される加工方法が明らかとなる。このような加工方法によれば、照射されるレーザーのエネルギー効率を高めることができる。
【００２０】
また、前記第１の加工工程または前記第２の加工工程の少なくとも一方におけるレーザーが、前記素材の表面の法線方向から照射される加工方法が明らかとなる。このような加工方法によれば、素材の表面におけるレーザーの反射によるエネルギーの損失を低減できる。
【００２１】
また、前記第１の加工工程において照射されるレーザーのスポット径が、前記第２の加工工程において照射されるレーザーのスポット径よりも小さい加工方法が明らかとなる。或いは、前記第１の加工工程において照射されるレーザーの単位面積当たりのスポットの数が、前記第２工程において照射されるレーザーの単位面積当たりのスポット数よりも多い加工方法が明らかとなる。これらの加工方法は、より高い加工精度で目的物を得ることを可能とする。
【００２２】
また、前記第１の加工工程で使用されるレーザーが超短パルスレーザーである加工方法が明らかとなる。超短パルスレーザーを使用することにより、素材内部の所望の位置に対してアブレーション加工を行うことができる。
【００２３】
また、前記素材が、ジルコニア系の光透過性材料の完全焼結体である加工方法が明らかとなる。素材としてジルコニア系の光透過性材料を用いることにより、素材内部の所望の位置に対してレーザーを照射できる。また、完全焼結体を用いることにより加工後の焼成が不要となるため、加工時間を短縮でき且つ加工精度の低下を抑制できる。
【００２４】
更に、前記第１の加工工程及び前記第２の加工工程がなされた前記素材を前記割断部位で割断させることにより、前記素材内部から前記目的物を分離する第３の加工工程を有する加工方法が明らかとなる。このような加工方法によれば、加工時間を短縮することができる。
【００２５】
また、分離した前記目的物を前記レーザーにより研磨する第４の加工工程を有する加工方法が明らかとなる。このような加工方法によれば、より高い加工精度で目的物を得ることができる。
【００２６】
また、前記第４の加工工程において照射されるレーザーのスポット径が、前記第１の加工工程において照射されるレーザーのスポット径よりも小さい加工方法が明らかとなる。このような加工方法によれば、より高い加工精度で目的物を得ることができる。
【００２７】
＝＝実施形態の概要＝＝
本実施形態に係る加工方法は、レーザーを用いて素材を加工する。素材に対してレーザーを照射することにより、非接触での加工が可能となる。
【００２８】
素材はレーザーを透過する材料（光透過性材料）を用いることができる。具体的には、ジルコニア系の光透過性材料を用いる。ジルコニア系の光透過性材料は、ジルコニア配合型ガラスセラミックのような複合材料であってもよいし、一定の透過率を有するジルコニア単体であってもよい。素材の光透過率は１００％である必要はなく、所定の位置（目的物を形成する位置）までレーザーが届く程度の値であればよい。
【００２９】
また、本実施形態に係る加工方法で使用されるジルコニア系の光透過性材料は、完全焼結体である。完全焼結体は加工後の焼成が不要となるため、加工時間を短縮することができる。また、完全焼結体は、焼成に伴う収縮等の影響を受けないため、加工精度が低下することもない。
【００３０】
レーザーは超短パルスレーザーを用いる。超短パルスレーザーは、一のパルス幅が数ピコ秒〜数フェムト秒のレーザーである。超短パルスレーザーを素材内部の所定の位置に短時間照射することにより、アブレーション加工（非熱加工）を行うことができる。アブレーション加工は、レーザーにより溶融した箇所が瞬時に蒸発、飛散し除去されるため、一般的なレーザー加工（熱加工）と比べ、熱による加工部分の損傷が少ない。アブレーション加工は、たとえば、歯科医療に用いる補綴物等、サイズが小さい目的物の加工に対して特に有効である。
【００３１】
素材に対するレーザーの照射は、予め作成された加工データ（後述）に対応する位置に対して行われる。本実施形態に係る加工方法は、少なくともレーザーを照射することにより、素材内部に目的物を形成する工程（第１の加工工程）と、目的物が形成された位置よりも外側にレーザーを照射することにより、素材内部に割断部位を形成する工程（第２の加工工程）を有する。また、本実施形態に係る加工方法は、図１に示すような加工システム１００により実施される。加工システム１００は、ＣＡＤ／ＣＡＭシステム２００で作成された加工プログラムを実行することにより素材の加工を行う。以下、「加工データ」、「加工システム」、「加工システムによる加工（加工方法）」について詳述する。
【００３２】
＝＝加工データ＝＝
加工データは、目的物を加工する際に加工システム１００で使用するデータである。加工データは、目的物の三次元データや素材の三次元データに基づいて、ＣＡＤ／ＣＡＭシステム２００で作成される。たとえば、歯科医療用の補綴物を加工する場合、ＣＣＤカメラやＸ線ＣＴにより口腔内をスキャンして得られた三次元データを使用して加工データを作成する。目的物の三次元データは、ＳＴＬデータや三次元ＣＡＤで使用されるソリッドデータ、或いは３Ｄプリンタで使用される３ＭＦやＡＭＦなどのデータである。
【００３３】
本実施形態に係る加工データは、少なくとも点群データ及び割断データを含む。
【００３４】
点群データは、目的物の表面形状を示すデータである。点群データは、目的物の表面形状に沿った複数の点データからなる。各点データは、三次元（ＸＹＺ）の座標値及び法線方向のベクトル情報を有する。座標値は、レーザーの焦点位置を決定する際に用いられる（すなわち、座標値は素材内部においてレーザーが照射される位置に相当する）。法線方向のベクトル情報は、レーザーを照射する方向を決定する際に用いられる。
【００３５】
点データは目的物の表面形状に沿って等間隔で設定される。或いは、レーザーの照射によるエネルギー分布が均等となるよう、目的物の形状に合わせて点データの間隔を調整することでもよい。
【００３６】
割断データは、素材内部における割断部位を示すデータである。割断データは、所定の素材の形状を示す素材の三次元データに対して設定される。割断部位は、素材を割断（後述）する際の基準となる部位である。割断部位は、素材内部において、目的物の表面形状が形成された位置よりも外側に位置する。割断部位は、面状の領域であってもよいし、複数の線分であってもよい。また、割断部位は、予め設定されたパターンに基づいて指定されてもよいし、加工データを作成する際に素材の三次元データ上で任意の部位を指定することもできる。
【００３７】
本実施形態において、割断データは、複数の点データにより構成されている。各点データは、少なくとも三次元の座標値を有する。座標値は、レーザーの焦点位置を決定する際に用いられる（すなわち、座標値は素材内部においてレーザーが照射される位置に相当する）。なお、割断データは、素材内部に割断部位を形成することができるデータであれば、複数の点データでなくともよい。たとえば、素材に対してレーザーを照射する範囲（位置及び幅）を設定するデータであってもよい。
【００３８】
加工データは、割断後の仕上げ処理（研磨）等で使用するためのデータを含んでいてもよい。また、加工データは、レーザーの出力に関する情報（各点に照射するレーザーのスポット径、照射時間、強度等）を含んでいてもよい。
【００３９】
ＣＡＤ／ＣＡＭシステム２００は、作成した加工データを加工システム１００に出力する。加工システム１００は、加工データに対応する位置にレーザーを照射することにより素材の加工を行う。なお、出力されるデータの形式は、加工システム１００で使用できるものであれば特に限定されない。
【００４０】
＝＝加工システム＝＝
図１は、加工システム１００を模式的に示した図である。加工システム１００は、加工装置１及びコンピューター２を有する。但し、コンピューター２の果たす機能を加工装置１で実現することによって、加工システム１００が加工装置１単体で構成されてもよい。
【００４１】
本実施形態に係る加工装置１は、５軸（Ｘ軸、Ｙ軸、Ｚ軸、Ａ回転軸（Ｘ軸回りの回転軸）、Ｂ回転軸（Ｙ軸回りの回転軸））の駆動軸を有する。加工装置１は、加工データに対応する位置にレーザーを照射することにより素材を加工する。加工装置１は、照射部１０、保持部２０、及び駆動機構３０を含む。
【００４２】
照射部１０は、素材に対してレーザーを照射する。照射部１０は、レーザーの発振器、及び発振器からのレーザー光を素材まで導くためのレンズ群やガルバノミラー等の光学系を含む。
【００４３】
保持部２０は素材Ｍを保持する。素材を保持する方法は、保持された素材を５軸に沿って移動・回転させることができれば、特に限定されるものではない。たとえば、従来の５軸加工装置による切削加工を行う場合と同様、ディスク状の素材をクランプで挟み込んで保持する方法や、ブロック状の素材に金属製のピンを接着し、そのピンを保持部２０に差し込んで保持する方法等が可能である。
【００４４】
駆動機構３０は、照射部１０及び保持部２０を相対的に移動させる。駆動機構３０は駆動用のモータ等を含む。
【００４５】
コンピューター２は、照射部１０及び駆動機構３０の動作を制御する。具体的に、コンピューター２は、素材内部において、加工データに対応する位置にレーザーを照射できるよう、駆動機構３０を制御して照射部１０と保持部２０（素材Ｍ）との相対的な位置関係を調整する。また、コンピューター２は、照射部１０を制御し、レーザーの焦点位置、照射されるレーザーのスポット径、強度等の調整を行ったり、素材Ｍに対して所定時間だけレーザーの照射を行う。スポット径、強度、照射時間等は、照射されるレーザーの出力（エネルギー）に影響を与えるものである。これらの値は、上述の通り加工データに予め組み込まれていてもよいし、加工装置１側で設定することでもよい。また、これらの値を決定する際には、加工対象となる素材の種類や特性を加味してもよい。コンピューター２は、「制御部」の一例である。
【００４６】
なお、本実施形態に係る加工システム１００は、照射部１０から照射されるレーザーの出力を調整することにより、目的物や割断部位の形成だけでなく、割断処理や仕上げ処理を行うことも可能である。すなわち、素材Ｍから目的物を得るまでの処理を全て加工装置１で行うことができるため、素材Ｍの取り付け、取り外しによる加工精度低下の恐れがない。
【００４７】
＝＝加工システムによる加工＝＝
次に図２〜図３Ｈを参照して、本実施形態に係る加工方法の具体例について説明する。ここでは、加工方法が加工システム１００によって実施される例について述べる。この例では、素材Ｍを加工して目的物Ｘを得る。図２は、加工システム１００の動作を示すフローチャートである。図３Ａ〜図３Ｈは、本実施形態に係る加工方法により加工される素材Ｍまたは目的物Ｘを模式的に示した図である。目的物Ｘの加工データはＣＡＤ／ＣＡＭシステム２００により予め作成されているものとする。
【００４８】
目的物Ｘの加工に使用する素材Ｍを選択し、加工装置１の保持部２０にセットする（素材のセット。ステップ１０）。選択する素材Ｍは、加工データ（割断データ）を作成する際に使用した素材の三次元データに対応する形状であることが好ましい。但し、選択された素材Ｍは、少なくとも目的物Ｘを包含する形状であればよい。図３Ａに示すように素材Ｍはブロック状の部材であり、保持部２０に保持される金属製のピンＰが接着固定されている。図３Ｂ〜図３ＧではピンＰの記載を省略している。
【００４９】
コンピューター２は、目的物Ｘの加工データに基づいて、加工装置１に素材Ｍの加工を実行させる。
【００５０】
まず、コンピューター２は、加工データに含まれる点群データに対応する位置にレーザーを照射させる（点群データに対応する位置にレーザーを照射。ステップ１１）。
【００５１】
コンピューター２は、点群データに含まれるある点データの座標値とレーザーの焦点位置が合うよう調整を行う。具体的には、コンピューター２は、照射部１０及び駆動機構３０の相対的な位置を調整したり、照射部１０に含まれるレンズ群やガルバノミラーの向きや角度を調整する。なお、焦点位置の調整は、素材Ｍの屈折率を考慮して行われる。点データの座標値とレーザーの焦点位置が一致した後、コンピューター２は、照射部１０を制御し、当該点データに含まれる法線方向の情報に基づいて、法線方向からレーザーを所定時間だけ照射させる。法線方向からレーザーを照射することにより、加工部分に与えるレーザーのエネルギー効率を高めることができる。
【００５２】
コンピューター２は、点群データに含まれる各点データに基づいて、順次、レーザーの照射を行う（図３Ｂ参照）。図３Ｂ等ではレーザーが照射された部分を丸で示す。またレーザーが照射されていない部分の形状（目的物Ｘや割断面Ｔ１、Ｔ２の形状）を破線で示している。レーザーが照射された部分（加工部分）は、レーザーのスポット径に応じた空洞となっている。なお、レーザーの照射は、上述のように、位置決めと照射を繰り返し行うことでもよいし、加工効率を考慮し、焦点位置が変化しない場合には、レーザーの照射を行ったまま、隣接する点データに対応する位置の加工を連続しておこなってもよい。
【００５３】
点群データに含まれる全ての点データに対応する位置にレーザーの照射が完了した場合（ステップ１２でＹの場合）、素材Ｍの内部には目的物Ｘが形成される（図３Ｃ参照）。このように素材Ｍ内部にレーザーを照射することにより目的物Ｘを形成する工程は「第１の加工工程」の一例である。
【００５４】
次に、コンピューター２は、加工データに含まれる割断データに対応する位置にレーザーを照射させる（割断データに対応する位置にレーザーを照射。ステップ１３）。
【００５５】
具体的には、ステップ１１と同様、コンピューター２は、割断データに含まれるある点データの座標値とレーザーの焦点位置が合うよう調整を行う。点データの座標値とレーザーの焦点位置が一致した後、コンピューター２は、照射部１０を制御し、レーザーを所定時間だけ照射させる。コンピューター２は、割断データに含まれる各点データに基づいて、順次、レーザーの照射を行う（図３Ｄ参照）。なお、レーザーが照射される位置は、素材Ｍの内部において、目的物Ｘが形成された位置よりも外側である。
【００５６】
割断データに含まれる全ての点データに対応する位置にレーザーの照射が完了した場合（ステップ１４でＹの場合）、素材Ｍの内部には割断部位が形成される（図３Ｅ参照）。この例では、割断部位として、素材Ｍの横方向の割断面Ｔ１と、割断面Ｔ１に直交する割断面Ｔ２が形成されている（図３Ｅでは割断面を実線のみで示し、点の記載を省略する）。このように素材Ｍ内部にレーザーを照射することにより割断部位を形成する工程は「第２の加工工程」の一例である。
【００５７】
このように割断部位を形成した場合（或いは割断部位を形成している最中に）、割断部位から自然に割断が発生し、素材Ｍから目的物Ｘが分離されることもありうる。一方、素材Ｍに対して外力を与えることにより、積極的に割断を促すことも可能である。
【００５８】
この場合、コンピューター２は、ステップ１１〜ステップ１４の加工処理がなされた素材Ｍを割断部位で割断させることにより、素材Ｍの内部から目的物Ｘを分離する（目的物の分離。ステップ１５、図３Ｆ参照）。このように素材Ｍの内部から目的物Ｘを分離する工程は「第３の加工工程」の一例である。
【００５９】
目的物を分離する方法（割断を促す方法）は、素材の種類や物性等により様々な方法を用いることができる。
【００６０】
たとえば、通常の熱加工と同等の出力（ステップ１１等の出力よりも高出力）でレーザーを照射することにより、素材Ｍに加熱による衝撃を与えて割断する方法を用いることができる。この場合、照射部１０をそのまま利用することができる。
【００６１】
或いは、加工システム１００に割断専用の構成を設けることで目的物を分離することも可能である。
【００６２】
たとえば、冷却用のガス冷媒やドライアイスを噴射する構成を設ける。ガス冷媒等を噴射し、素材Ｍを急速に冷却することで割断することができる。また、超音波を発生するホーンを設け、素材Ｍに対して局所的に超音波の振動を与えて割断することや、ハンマー等を設け、素材Ｍに対して直接的に力を加えて割断すること（物理的干渉を利用する方法）も可能である。
【００６３】
なお、素材Ｍから目的物Ｘが完全に分離しているかどうかを、加工システム１００に設けたＣＣＤカメラや画像処理装置を用いて、計測・監視を行ってもよい。素材Ｍから目的物Ｘが完全に分離できていない場合、上記方法を複数回実施したり、組み合わせて行うことで割断を促すことでもよい。
【００６４】
目的物Ｘの表面形状に沿って点群データを作成し、当該データに基づいてレーザーを照射してアブレーション加工を行った場合、割断後に得られる目的物Ｘの表面形状は、加工データの元となった三次元データとほぼ同等になっていると思われる。一方、点群の密度、レーザー照射の状態、割断の状況等によっては、目的物Ｘの表面に素材Ｍの一部が残ってしまい、目的物Ｘの表面に凹凸が生じる可能性もある。従って、目的物の加工精度を高める観点からは、仕上げ処理を行うことがより好ましい。
【００６５】
コンピューター２は、ステップ１５で分離した目的物Ｘをレーザーにより研磨して仕上げ処理を行う（仕上げ処理。ステップ１６）。仕上げ処理の方法（研磨方法）は特に限定されるものではない。たとえば、加工データに含まれる点群データは目的物Ｘの表面形状に沿ったものあるため、この点群データに基づいて再度レーザーを照射する（図３Ｇ参照）。仮にステップ１５で得られた目的物Ｘの表面に素材Ｍの一部が残っている場合、ステップ１６におけるレーザーの照射により残った素材Ｍが除去されるため目的物Ｘの形状に近づく。分離した目的物Ｘをレーザーにより研磨する工程は「第４の加工工程」の一例である。
【００６６】
最後に、ピンＰと目的物Ｘとの間に熱を加え、ピンＰを取り外すことで目的物Ｘを得ることができる（目的物の完成。ステップ１７。図３Ｈ参照）。
【００６７】
なお、仕上げ処理としてレーザーで研磨する例について述べたが、従来のような機械的な研磨を行うことでもよい。また、加工システム１００に専用の構成を設けることにより、仕上げ処理として染色やグレージングを行うことも可能である。
【００６８】
このように、本実施形態に係る加工方法によれば、レーザーを用いて完全焼結体の素材内部に目的物及び割断部位を形成することにより、素材から目的物を容易に分離することができる。従って、従来の加工方法のように加工そのものに時間を要したり、焼成等の後処理に時間を要することがない。すなわち、本実施形態に係る加工方法によれば、加工時間を短縮することができる。また、本実施形態に係る加工方法では、完全焼結体を加工するため、焼成による収縮等を考慮する必要がない。また、一の加工装置で目的物の加工を行うことができるため、一旦素材をセットした後の位置合わせ等が不要となる。更に、レーザーで加工するため、切削ツール等と素材の物理的な接触も生じない。すなわち、本実施形態に係る加工方法によれば、高い加工精度で目的物を得ることができる。
【００６９】
＝その他＝
素材内部にレーザーを照射する場合には、素材表面での反射によりエネルギーの損失が生じるという問題がある。この問題に対し、コンピューター２は、レーザーが素材の表面の法線方向から照射されるよう、照射部１０を制御することも可能である。
【００７０】
また、たとえば、素材から目的物を確実に分離するためには、素材と目的物との境界（目的物の表面形状）に沿ってレーザー加工が細かく行われていることが好ましい。一方、割断部位については、割断できればよいため、レーザー加工は必ずしも細かく行われる必要はない。
【００７１】
そこで、各処理において異なるスポット径でレーザーを照射してもよい。具体的には、コンピューター２は、目的物を形成する工程（第１の加工工程）において照射されるレーザーのスポット径が、割断部位を形成する工程（第２の加工工程）において照射されるレーザーのスポット径よりも小さくなるよう、照射部１０を制御することが可能である。
【００７２】
或いは、スポット径を変える代わりに、照射されるレーザーの単位面積当たりのスポットの数（スポット密度）を変えることでも同様の効果を得ることができる。
【００７３】
すなわち、コンピューター２は、第１の加工工程において照射されるレーザーの単位面積当たりのスポットの数が、第２工程において照射されるレーザーの単位面積当たりのスポット数よりも多くなるよう、照射部１０を制御することも可能である。
【００７４】
更に、仕上げ工程の研磨（第４の加工工程）は、目的物の三次元形状を再現するために、より緻密に行う必要がある。そこで、コントローラー２は、第４の加工工程において照射されるレーザーのスポット径が、第１の加工工程において照射されるレーザーのスポット径よりも小さくなるよう照射部１０を制御することも可能である。
【００７５】
上記実施形態では、加工システム１００において全ての加工処理を実施する例について述べた。一方、本発明においては、たとえば目的物や割断部位を形成する処理と割断等の処理を異なる装置で実施すること自体を排除するものではない。このように複数の装置を用いて本発明に係る加工方法を実施する場合であっても、少なくとも従来の加工方法に比べ、加工時間を短縮でき、且つ加工精度を高めることもできる。
【００７６】
また、上記実施形態では、ブロック状の素材Ｍを加工する例について述べたが、素材Ｍはこれに限られない。上記実施形態による加工方法によれば、一の部材から複数の歯を加工することが可能なブリッジ状の部材や入れ歯（デンチャー）等の非対称形状を加工することも可能である。
【００７７】
上記実施形態の加工プログラムが記憶された非一時的なコンピュータ可読媒体（non-transitory computer readable medium with an executable program thereon）を用いて、コンピュータにプログラムを供給することも可能である。なお、非一時的なコンピュータの可読媒体の例は、磁気記録媒体（例えばフレキシブルディスク、磁気テープ、ハードディスクドライブ）、ＣＤ−ＲＯＭ（Read Only Memory）等がある。
【００７８】
上記実施形態は、発明の例として提示したものであり、発明の範囲を限定するものではない。上記の構成は、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７９】
１  加工装置
２  コンピューター
１０  照射部
２０  保持部
３０  駆動機構
１００  加工システム
【図１】
2018069307.tif 000003
【図２】
2018069307.tif 000004
【図３Ａ】
2018069307.tif 000005
【図３Ｂ】
2018069307.tif 000006
【図３Ｃ】
2018069307.tif 000007
【図３Ｄ】
2018069307.tif 000008
【図３Ｅ】
2018069307.tif 000009
【図３Ｆ】
2018069307.tif 000010
【図３Ｇ】
2018069307.tif 000011
【図３Ｈ】
2018069307.tif 000012